(57)【要約】  本開示は、振込処理方法および装置に関し、コンピュータ技術分野に属する。前記方法は、第一の連絡先の、前記第一の連絡先の第一のアカウントに対応する振込機能オプションを含んでいる、連絡情報ページを表示することと、前記振込機能オプションのトリガ命令を受信した場合、前記第一のアカウントのアカウント識別子、ローカルログインアカウントの情報およびユーザより入力された振込情報を取得することと、前記第一のアカウントのアカウント識別子、前記ローカルログインアカウントの情報および前記振込情報を含んでいる振込要求を、前記ローカルログインアカウントから前記第一のアカウントへ前記振込情報によって指示された振込処理を行うためのサーバーに送信することとを含む。【選択図】図１
2017513161.tif 000002
【特許請求の範囲】
【請求項１】
振込処理方法であって、
第一の連絡先の、前記第一の連絡先の第一のアカウントに対応する振込機能オプションを含んでいる、連絡情報ページを表示することと、
前記振込機能オプションのトリガ命令を受信した場合、前記第一のアカウントのアカウント識別子、ローカルログインアカウントの情報およびユーザより入力された振込情報を取得することと、
前記第一のアカウントのアカウント識別子、前記ローカルログインアカウントの情報および前記振込情報を含んでいる振込要求を、前記ローカルログインアカウントから前記第一のアカウントへ前記振込情報によって指示された振込処理を行うためのサーバーに送信することとを含む、前記振込処理方法。
【請求項２】
前記ローカルログインアカウントの情報を取得することは、
予め記憶されたローカルログインアカウントにバインドされた資金アカウントリストを表示することと、
前記資金アカウントリストにおける第一の資金アカウントに対応する選択命令を受信した場合、前記第一の資金カウントのアカウント識別子とローカルログインアカウントのアカウント識別子を取得することとを含むことを特徴とする
請求項１に記載の振込処理方法。
【請求項３】
前記ローカルログインアカウントの情報を取得することは、
ローカルログインカウントにバインドされた資金アカウントから、使用時間が現在の時間に最も近い第二の資金アカウントを確定することと、
前記第二の資金アカウントのアカウント識別子とローカルログインアカウントのアカウント識別子を取得することとを含むことを特徴とする
請求項１に記載の振込処理方法。
【請求項４】
前記サーバーから送信された、ターゲットアカウントのアカウント識別子を含んでいる振込アカウント追加要求を受信することと、
前記ターゲットアカウントのアカウント識別子に対応する連絡情報ページに振込機能オプションを追加することとをさらに含むことを特徴とする
請求項１に記載の振込処理方法。
【請求項５】
振込処理装置であって、
第一の連絡先の、前記第一の連絡先の第一のアカウントに対応する振込機能オプションを含んでいる、連絡情報ページを表示するように構成される表示モジュールと、
前記振込機能オプションのトリガ命令を受信した場合、前記第一のアカウントのアカウント識別子、ローカルログインアカウントの情報およびユーザより入力された振込情報を取得するように構成される取得モジュールと、
前記第一のアカウントのアカウント識別子、前記ローカルログインアカウントの情報および前記振込情報を含んでいる振込要求を、前記ローカルログインアカウントから前記第一のアカウントへ前記振込情報によって指示された振込処理を行うためのサーバーに送信するように構成される送信モジュールとを含む、前記振込処理装置。
【請求項６】
前記取得モジュールは、
予め記憶されたローカルログインアカウントにバインドされた資金アカウントリストを表示するように構成される表示サブモジュールと、
前記資金アカウントリストにおける第一の資金アカウントに対応する選択命令を受信した場合、前記第一の資金アカウントのアカウント識別子とローカルログインアカウントのアカウント識別子を取得するように構成される取得サブモジュールとを含むことを特徴とする
請求項５に記載の振込処理装置。
【請求項７】
前記取得モジュールは、
ローカルログインアカウントにバインドされた資金アカウントから、使用時間が現在の時間に最も近い第二の資金アカウントを確定するように構成される確定サブモジュールと、
前記第二の資金アカウントのアカウント識別子とローカルログインアカウントのアカウント識別子を取得するように構成される取得サブモジュールとを含むことを特徴とする
請求項５に記載の振込処理装置。
【請求項８】
前記サーバーから送信された、ターゲットアカウントのアカウント識別子を含んでいる振込アカウント追加要求を受信し、
前記ターゲットアカウントのアカウント識別子に対応する連絡情報ページに振込機能オプションを追加するように構成される追加モジュールをさらに含むことを特徴とする
請求項５に記載の振込処理装置。
【請求項９】
振込処理装置であって、
プロセッサと、
プロセッサで実行可能な命令を記憶するように構成されるメモリとを含み、
前記プロセッサは、
第一の連絡先の、前記第一の連絡先の第一のアカウントに対応する振込機能オプションを含んでいる、連絡情報ページを表示し、
前記振込機能オプションのトリガ命令を受信した場合、前記第一のアカウントのアカウント識別子、ローカルログインアカウントの情報およびユーザより入力された振込情報を取得し、
前記第一のアカウントのアカウント識別子、前記ローカルログインアカウントの情報および前記振込情報を含んでいる振込要求を、前記ローカルログインアカウントから前記第一のアカウントへ前記振込情報によって指示された振込処理を行うためのサーバーに送信するように構成される、前記振込処理装置。
【発明の詳細な説明】
【技術分野】
【０００１】
本開示は、コンピュータ技術分野に関し、特に振込処理方法および装置に関する。
【背景技術】
【０００２】
移動端末技術の発展に伴い、移動端末の用途は、ますます広くなり、人々の日常仕事、生活の中で最も重要なツールの一つとなっている。移動端末は、移動通信を行うことができる以外、インターネットに基づいてビデオ視聴、情報検索および振込などの複数の機能を実現することができ、そのなか、振込機能が人々の生活の中で最も重要な機能の一つである。
【０００３】
人々は、移動端末に振込機能を備えるアプリケーションプログラム、例えばアリペイ（Ａｌｉｐａｙ）をインストールする必要があり、振込を行う場合、アリペイを起動し、アリペイに振込オプションをクリックすることができ、振込すべきアカウントのアカウント名を入力し、その後振込操作を行うことができる。
【発明の概要】
【発明が解決しようとする課題】
【０００４】
【課題を解決するための手段】
【０００５】
本開示の実施形態は、振込処理方法及び装置を提供する。前記技術的解決手段は、次の通りである。
【０００６】
第一の態様に係る振込処理方法は、
第一の連絡先の、前記第一の連絡先の第一のアカウントに対応する振込機能オプションを含んでいる、連絡情報ページを表示することと、
前記振込機能オプションのトリガ命令を受信した場合、前記第一のアカウントのアカウント識別子、ローカルログインアカウントの情報およびユーザより入力された振込情報を取得することと、
前記第一のアカウントのアカウント識別子、前記ローカルログインアカウントの情報および前記振込情報を含んでいる振込要求を、前記ローカルログインアカウントから前記第一のアカウントへ前記振込情報によって指示された振込処理を行うためのサーバーに送信することとを含む。
【０００７】
必要に応じて、前記ローカルログインアカウントの情報を取得することは、
予め記憶されたローカルログインアカウントにバインドされた資金アカウントリストを表示することと、
前記資金アカウントリストにおける第一の資金アカウントに対応する選択命令を受信した場合、前記第一の資金カウントのアカウント識別子とローカルログインアカウントのアカウント識別子を取得することとを含む。
【０００８】
必要に応じて、前記ローカルログインアカウントの情報を取得することは、
ローカルログインカウントにバインドされた資金アカウントから、使用時間が現在の時間に最も近い第二の資金アカウントを確定することと、
前記第二の資金アカウントのアカウント識別子とローカルログインアカウントのアカウント識別子を取得することとを含む。
【０００９】
必要に応じて、前記方法は、
前記サーバーから送信された、ターゲットアカウントのアカウント識別子を含んでいる振込アカウント追加要求を受信することと、
前記ターゲットアカウントのアカウント識別子に対応する連絡情報ページに振込機能オプションを追加することとをさらに含む。
【００１０】
第二の態様に係る振込処理装置は、
第一の連絡先の、前記第一の連絡先の第一のアカウントに対応する振込機能オプションを含んでいる、連絡情報ページを表示するように構成される表示モジュールと、
前記振込機能オプションのトリガ命令を受信した場合、前記第一のアカウントのアカウント識別子、ローカルログインアカウントの情報およびユーザより入力された振込情報を取得するように構成される取得モジュールと、
前記第一のアカウントのアカウント識別子、前記ローカルログインアカウントの情報および前記振込情報を含んでいる振込要求を、前記ローカルログインアカウントから前記第一のアカウントへ前記振込情報によって指示された振込処理を行うためのサーバーに送信するように構成される送信モジュールとを含む。
【００１１】
必要に応じて、前記取得モジュールは、
予め記憶されたローカルログインアカウントにバインドされた資金アカウントリストを表示するように構成される表示サブモジュールと、
前記資金アカウントリストにおける第一の資金アカウントに対応する選択命令を受信した場合、前記第一の資金アカウントのアカウント識別子とローカルログインアカウントのアカウント識別子を取得するように構成される取得サブモジュールとを含む。
【００１２】
必要に応じて、前記取得モジュールは、
ローカルログインアカウントにバインドされた資金アカウントから、使用時間が現在の時間に最も近い第二の資金アカウントを確定するように構成される確定サブモジュールと、
前記第二の資金アカウントのアカウント識別子とローカルログインアカウントのアカウント識別子を取得するように構成される取得サブモジュールとを含む。
【００１３】
必要に応じて、前記装置は、
前記サーバーから送信された、ターゲットアカウントのアカウント識別子を含んでいる振込アカウント追加要求を受信し、
前記ターゲットアカウントのアカウント識別子に対応する連絡情報ページに振込機能オプションを追加するように構成される追加モジュールをさらに含む。
【００１４】
本開示の実施形態の第三の態様に係る振込処理装置は、
プロセッサと、
プロセッサで実行可能な命令を記憶するように構成されるメモリとを含み、
ここで、前記プロセッサは、
第一の連絡先の、前記第一の連絡先の第一のアカウントに対応する振込機能オプションを含んでいる、連絡情報ページを表示し、
前記振込機能オプションのトリガ命令を受信した場合、前記第一のアカウントのアカウント識別子、ローカルログインアカウントの情報およびユーザより入力された振込情報を取得し、
前記第一のアカウントのアカウント識別子、前記ローカルログインアカウントの情報および前記振込情報を含んでいる振込要求を、前記ローカルログインアカウントから前記第一のアカウントへ前記振込情報によって指示された振込処理を行うためのサーバーに送信するように構成される。
【００１５】
本開示の実施形態に係る技術的解決手段による有益な効果は、以下を含む。
【００１６】
本開示の実施形態において、第一の連絡先の、前記第一の連絡先の第一のアカウントに対応する振込機能オプションを含んでいる、連絡情報ページを表示し、振込機能オプションのトリガ命令を受信した場合、第一のアカウントのアカウント識別子、ローカルログインアカウントの情報およびユーザより入力された振込情報を取得し、第一のアカウントのアカウント識別子、ローカルログインアカウントの情報および振込情報を含んでいる振込要求を、ローカルログインアカウントから第一のアカウントへ振込情報によって指示された振込処理を行うためのサーバーに送信する。このようにして連絡情報ページの振込機能オプションによって、対応するアカウントに対する振込をトリガすることができ、ユーザが振込すべきアカウントのアカウント名を手動で入力する必要がなく、それによって振込処理効率を向上させることができる。
【００１７】
以上の一般的な説明と以下の詳細な説明は、例示的または解釈的なものだけであるが、本開示を制限できないと理解すべきである。
【図面の簡単な説明】
【００１８】
【図１】本開示の実施形態に係る振込処理方法のフローチャートである。
【図２】本開示の実施形態に係るインタフェース表示模式図である。
【図３】本開示の実施形態に係る振込処理装置の構成模式図である。
【図４】本開示の実施形態に係る振込処理装置の構成模式図である。
【図５】本開示の実施形態に係る振込処理装置の構成模式図である。
【図６】本開示の実施形態に係る振込処理装置の構成模式図である。
【図７】本開示の実施形態に係る端末の構成模式図である。
【発明を実施するための形態】
【００１９】
本開示の実施形態における技術的解決手段をより明らかに説明するために、以下、実施形態を説明するために必要な図面を簡単に説明し、明らかに、以下に説明される図面が本開示のいくつかの実施形態だけであり、本分野の当業者にとって、創造的な労働をしない前提で、これらの図面に基づいて他の図面を取得することができる。
【００２０】
上記の図面により、本開示に明確された実施形態が示され、以下に詳細に説明される。これらの図面と文字説明は、いかなる方式で本開示の要旨範囲を制限するためのものではなく、特定の実施形態を参照して本分野の当業者のために本開示の概念を説明する。
【００２１】
ここで例示的な実施形態を詳細に説明し、その例が図面に示される。以下の説明が図面に関する場合、特に明示しない限り、異なる図面における同じ数字が同じまたは類似する部品を示す。以下に例示的な実施例に説明される実施形態は、本開示と一致するすべての実施形態を代表しない。逆に、それらは、特許請求の範囲に詳述された、本開示のいくつかの方面と一致する装置および方法の例だけである。
【００２２】
実施形態一
本開示の実施形態に係る振込処理方法は、図１に示され、その処理プロセスが以下のステップを含むことができる。
【００２３】
ステップ１０１において、第一の連絡先の、前記第一の連絡先の第一のアカウントに対応する振込機能オプションを含んでいる、連絡情報ページを表示する。
【００２４】
ステップ１０２において、振込機能オプションのトリガ命令を受信した場合、第一のアカウントのアカウント識別子、ローカルログインアカウントの情報およびユーザより入力された振込情報を取得する。
【００２５】
ステップ１０３において、第一のアカウントのアカウント識別子、ローカルログインアカウントの情報および振込情報を含んでいる振込要求を、ローカルログインアカウントから第一のアカウントへ振込情報によって指示された振込処理を行うためのサーバーに送信する。
【００２６】
本開示の実施形態において、第一の連絡先の、前記第一の連絡先の第一のアカウントに対応する振込機能オプションを含んでいる、連絡情報ページを表示し、振込機能オプションのトリガ命令を受信した場合、第一のアカウントのアカウント識別子、ローカルログインアカウントの情報およびユーザより入力された振込情報を取得し、第一のアカウントのアカウント識別子、ローカルログインアカウントの情報および振込情報を含んでいる振込要求を、ローカルログインアカウントから第一のアカウントへ振込情報によって指示された振込処理を行うためのサーバーに送信する。このようにして連絡情報ページの振込機能オプションによって、対応するアカウントに対する振込をトリガすることができ、ユーザが振込すべきアカウントのアカウント名を手動で入力する必要がなく、それによって振込処理効率を向上させることができる。
【００２７】
実施形態二
本開示の実施形態に係る振込処理方法は、連絡先リストが設置された端末（例えば携帯電話、タブレットコンピュータなど）に用いられることができる。端末は、携帯電話、タブレットコンピュータなどの移動端末であってよい。本実施形態において、実行主体が携帯電話であることを例として、解決手段の詳細な説明を行い、他の状況がそれと類似するので、本実施形態において説明を省略する。
【００２８】
以下、具体的な実施形態を参照して、図１に示す処理プロセスを詳細に説明し、その内容が次の通りであってよい。
【００２９】
ステップ１０１において、第一の連絡先の、前記第一の連絡先の第一のアカウントに対応する振込機能オプションを含んでいる、連絡情報ページを表示する。
【００３０】
実施中、ユーザは、端末に振込機能を備えるアプリケーションプログラムをインストールすることができ、且つ当該アプリケーションプログラムによりサーバーへアカウントを登録し、当該アカウントで振込を行うように、対応するアカウントパスワードを設定することができる。ユーザは、さらに、当該アプリケーションプログラムにより登録されたアカウントと自分の資金アカウント（例えばある銀行アカウント）をバインドすることができる。また、当業者は、移動端末が振込機能をサポートするように、端末に振込機能に対応するプログラムコードを事前にプログラミングすることができる。ユーザが振込を行う必要がある場合、端末に連絡先アプリケーションに対応するアイコンをクリックすることができ、端末は、連絡先アクセス命令を受信し、その後ローカルの連絡先リストを表示する。
【００３１】
ユーザが連絡先リストに振込すべき連絡先をクリックし、連絡先情報ページを開くことができ、当該連絡先情報ページに振込すべき連絡先の第一のアカウントに対応する振込機能オプションが含まれる。図２に示すように、連絡情報ページに当該連絡先の名前と電話番号などの情報が表示されてよく、ユーザが第一のアカウントに対して設定または振込などの操作を行うように、着信音設定キー、格納キーと振込キー（即ち振込機能オプション２１）などが表示されてもよい。
【００３２】
また、端末をトリガして第一のアカウントの振込機能オプションを表示するモードは、多様であってよい。例えば、ユーザは、連絡先リストに連絡先を長時間にわたって押して端末をトリガして振込機能オプションを表示することができ、端末がユーザの連絡先リストにおけるある連絡先に対するトリガ時間が予め設定された時間を超えることを検出した場合、現在の表示インターフェースに操作オプションリストをポップアップすることができ、操作オプションに振込機能オプションが表示されてよく、連絡先削除、ブラックリスト設置と情報送信などの機能オプションが表示されてもよく、または、ユーザは、摺動操作により端末をトリガして振込機能オプションを表示することができ、端末は、連絡先リストにおけるある連絡先に対する摺動トリガ信号を検出した場合、第一のアカウントに対応する振込機能オプションを表示することができる。
【００３３】
ステップ１０２において、前記振込機能オプションのトリガ命令を受信した場合、前記第一のアカウントのアカウント識別子、ローカルログインアカウントの情報およびユーザより入力された振込情報を取得する。
【００３４】
ここで、振込情報は、振込金額とローカルログインアカウントのアカウントパスワードを含むことができる。
【００３５】
実施中、ユーザは、上記の振込すべき連絡先の連絡情報ページに振込機能オプションをクリックすることができ、端末は、振込機能オプションのトリガ命令を受信し、その後振込ページを表示する。ユーザは、振込ページに振込情報、即ち振込金額とローカルログインアカウントのアカウントパスワードを入力し、その後確定キーをクリックすることができ、端末は、第一のアカウントのアカウント識別子（例えば第一のアカウントの携帯電話番号）、ローカルログインアカウントの情報（例えばローカルの携帯電話番号）とユーザより入力された振込金額とローカルログインアカウントのアカウントパスワードを取得することができ、ローカルログインアカウントの情報が第一のアカウントにバインドされた資金アカウント識別子とローカルログインアカウントのアカウント識別子を含むことができる。
【００３６】
必要に応じて、ユーザは、使用したい資金アカウントを選択することができ、対応するプロセスは、予め記憶されたローカルログインアカウントにバインドされた資金アカウントリストを表示し、前記資金アカウントにおける第一の資金アカウントに対応する選択命令を受信した場合、前記第一の資金アカウントのアカウント識別子とローカルログインアカウントのアカウント識別子を取得することであってよい。
【００３７】
実施中、ローカルログインアカウントの情報は、ローカルログインアカウントのアカウント識別子とユーザより選択された第一の資金アカウントのアカウント識別子を含むことができる。ユーザは、上記のアプリケーションプログラムにより登録されたアカウントと自分の複数の資金アカウント（例えば銀行アカウント）をバインドすることができる。ユーザは、振込すべき連絡先の連絡情報ページに振込機能オプションをクリックした後、端末は、振込金額入力ページを表示し、振込金額入力ページに振込金額を入力するための入力ボックスが表示されてよく、ユーザは、入力ボックスに振込金額を入力し、確定キーをクリックすることができ、端末は、資金アカウント選択ページを表示し、資金アカウント選択ページにローカルログインアカウントにバインドされた資金アカウントリストが表示されてよく、当該資金アカウントリストに各資金アカウントのアカウント識別子（例えば銀行カード番号）が表示されてよく、資金カウント選択ページに振込金額とアカウントパスワードを入力するための入力ボックスが表示されてもよく、ユーザは、ローカルログインアカウントのアカウントパスワードに基づいて、資金アカウントリストから使用したい資金アカウント（即ち第一の資金アカウント）を選択することができ、端末は、第一の資金アカウントに対応する選択命令を受信し、その後ユーザより入力された振込金額とローカルログインアカウントのアカウントパスワード、第一のアカウントのアカウント識別子（例えば第一のアカウントの携帯電話番号）およびローカルログインアカウントのアカウント識別子（例えばローカルの携帯電話番号）を取得することができる。
【００３８】
必要に応じて、端末は、資金アカウントを自動的に選択することができ、対応するプロセスは、ローカルログインアカウントにバインドされた資金アカウントから、使用時間が現在の時間に最も近い第二の資金アカウントを確定し、前記第二の資金アカウントのアカウント識別子とローカルログインアカウントのアカウント識別子を取得することであってよい。
【００３９】
実施中、ローカルログインアカウントの情報は、ローカルログインアカウントのアカウント識別子と端末により確定された第二の資金アカウントのアカウント識別子を含むことができる。ユーザは、ローカルログインアカウントを使用して振込と支払いなどの操作を行うことができ、端末は、ユーザの振込および支払いなどの操作を記録することができる。具体的には、ユーザは、振込または支払い操作を行った後、端末は、ユーザが今回振込または支払いを行う時間（即ち資金アカウントの使用時間）を取得することができ、そして今回の操作のための資金アカウントを取得することができ、端末は、今回の操作のための資金アカウントと今回の時間を対応させて記憶し、資金アカウントの使用時間と資金アカウントの対応関係を確立することができる。端末が振込機能オプションのトリガ命令を受信した場合、端末は、前記対応関係において現在の時間に最も近い使用時間に対応する資金アカウントを検索し、当該資金アカウントを使用すべき資金アカウント（即ち第二の資金アカウント）とすることができ、その後端末は、以降の処理を行うように、第二の資金アカウントのアカウント識別子、第一のアカウントのアカウント識別子、ローカルログインアカウントのアカウント識別子およびユーザより入力された振込情報を取得することができる。
【００４０】
ステップ１０３において、第一のアカウントのアカウント識別子、ローカルログインアカウントの情報および振込情報を含んでいる振込要求を、ローカルログインアカウントから第一のアカウントへ振込情報によって指示された振込処理を行うためのサーバーに送信する。
【００４１】
実施中、端末は、第一のアカウントのアカウント識別子、ローカルログインアカウントのアカウント識別子、ユーザより入力された振込金額およびローカルログインアカウントのアカウントパスワードを取得した後、前記情報を振込要求に含ませてサーバーに送信することができる。サーバーは、端末から送信された振込要求を受信し、その後振込要求を解析してそのなかの情報を取得して、ローカルログインアカウントのアカウント識別子とローカルログインアカウントのアカウントパスワードを検証することができ、検証を通過した後、第一のアカウントのアカウント識別子とユーザより入力された振込金額に基づいて振込処理を行うことができる。
【００４２】
必要に応じて、前記ユーザが使用したい資金アカウントを選択する場合に対して、それに応じて、ステップ１０３の処理プロセスは、前記第一の資金アカウントのアカウント識別子、第一のアカウントのアカウント識別子、前記ローカルログインアカウントのアカウント識別子および前記振込情報を含んでいる振込要求をサーバーへ送信することであってよい。
【００４３】
実施中、端末は、第一の資金アカウントのアカウント識別子、第一のアカウントのアカウント識別子、前記ローカルログインアカウントのアカウント識別子および前記振込情報を取得した後、前記情報を振込要求に含ませてサーバーに送信することができる。
【００４４】
必要に応じて、前記端末が資金アカウントを自動的に選択することができる場合に対して、それに応じて、ステップ１０３の処理プロセスは、前記第二の資金アカウントのアカウント識別子、第一のアカウントのアカウント識別子、前記ローカルログインアカウントのアカウント識別子と前記振込情報を含んでいる振込要求をサーバーへ送信することであってよい。
【００４５】
実施中、端末は、第二の資金アカウントのアカウント識別子、第一のアカウントのアカウント識別子、前記ローカルログインアカウントのアカウント識別子および前記振込情報を取得した後、前記情報を振込要求に含ませてサーバーに送信することができる。
【００４６】
必要に応じて、端末は、連絡情報ページに振込機能オプションを追加することができ、対応する処理プロセスは、前記サーバーから送信された、ターゲットアカウントのアカウント識別子を含んでいる振込アカウント追加要求を受信し、前記ターゲットアカウントのアカウント識別子に対応する連絡情報ページに振込機能オプションを追加することであってよい。
【００４７】
実施中、連絡先リストにおけるある連絡先が上記の振込機能を備えるアプリケーションプログラムによりサーバーへアカウントを登録しない場合、当該連絡先に対応する連絡情報ページに、振込機能オプションが表示されない。当該連絡先が当該アプリケーションプログラムを使用する必要がある場合、当該連絡先は、端末に上記のアカウント機能を備えるアプリケーションプログラムをインストールすることができ、当該連絡先は、当該アプリケーションプログラムによりサーバーへアカウントを登録する場合、サーバーへアカウント登録要求を送信し、アカウント登録要求に登録すべきアカウントのアカウント識別子（例えば当該連絡先の携帯電話番号）とアカウントパスワードなどの情報が含まれることができ、サーバーは、当該連絡先のアカウント登録要求を受信し、対応する登録処理を行い、サーバーは、さらにローカルに記憶された連絡先リストから当該連絡先が記憶された連絡先リストを検索し、その後検索された連絡先リストに属するアカウントへ振込アカウント追加要求を送信することができ、振込アカウント追加要求に前記連絡先のアカウント識別子（即ちターゲットアカウントのアカウント識別子）が含まれ、当該アカウントの端末は、当該振込アカウント追加要求を受信した後、ローカルの連絡先リストにおいて、以降にターゲットアカウントに対して振込を行うように、ターゲットアカウントに対応する連絡情報ページに振込機能オプションを追加することができる。
【００４８】
本開示の実施形態において、第一の連絡先の、前記第一の連絡先の第一のアカウントに対応する振込機能オプションを含んでいる、連絡情報ページを表示し、振込機能オプションのトリガ命令を受信した場合、第一のアカウントのアカウント識別子、ローカルログインアカウントの情報およびユーザより入力された振込情報を取得し、第一のアカウントのアカウント識別子、ローカルログインアカウントの情報および振込情報を含んでいる振込要求を、ローカルログインアカウントから第一のアカウントへ振込情報によって指示された振込処理を行うためのサーバーに送信する。このようにして連絡情報ページの振込機能オプションによって、対応するアカウントに対する振込をトリガすることができ、ユーザが振込すべきアカウントのアカウント名を手動で入力する必要がなく、それによって振込処理効率を向上させることができる。
【００４９】
実施形態三
同じ技術的構成に基づいて、本開示に係る実施形態では振込処理装置をさらに提供する。当該振込処理装置は、図３に示すように、
第一の連絡先の、前記第一の連絡先の第一のアカウントに対応する振込機能オプションを含んでいる、連絡情報ページを表示するように構成される表示モジュール３１０と、
前記振込機能オプションのトリガ命令を受信した場合、前記第一のアカウントのアカウント識別子、ローカルログインアカウントの情報およびユーザより入力された振込情報を取得するように構成される取得モジュール３２０と、
前記第一のアカウントのアカウント識別子、前記ローカルログインアカウントの情報および前記振込情報を含んでいる振込要求を、前記ローカルログインアカウントから前記第一のアカウントへ前記振込情報によって指示された振込処理を行うためのサーバーに送信するように構成される送信モジュール３３０とを含む。
【００５０】
必要に応じて、図４に示すように、前記取得モジュール３２０は、
予め記憶されたローカルログインアカウントにバインドされた資金アカウントリストを表示するように構成される表示サブモジュール３２１と、
前記資金アカウントリストにおける第一の資金アカウントに対応する選択命令を受信した場合、前記第一の資金アカウントのアカウント識別子とローカルログインアカウントのアカウント識別子を取得するように構成される取得サブモジュール３２２とを含む。
【００５１】
必要に応じて、図５に示すように、前記取得モジュール３２０は、
ローカルログインアカウントにバインドされた資金アカウントから、使用時間が現在の時間に最も近い第二の資金アカウントを確定するように構成される確定サブモジュール３２３と、
前記第二の資金アカウントのアカウント識別子とローカルログインアカウントのアカウント識別子を取得するように構成される取得サブモジュール３２４とを含む。
【００５２】
必要に応じて、図６に示すように、前記装置は、
前記サーバーから送信された、ターゲットアカウントのアカウント識別子を含んでいる振込アカウント追加要求を受信し、
前記ターゲットアカウントのアカウント識別子に対応する連絡情報ページに振込機能キーを追加するように構成される追加モジュール３４０をさらに含む。
【００５３】
本開示の実施形態において、第一の連絡先の、前記第一の連絡先の第一のアカウントに対応する振込機能オプションを含んでいる、連絡情報ページを表示し、振込機能オプションのトリガ命令を受信した場合、第一のアカウントのアカウント識別子、ローカルログインアカウントの情報およびユーザより入力された振込情報を取得し、第一のアカウントのアカウント識別子、ローカルログインアカウントの情報および振込情報を含んでいる振込要求を、ローカルログインアカウントから第一のアカウントへ振込情報によって指示された振込処理を行うためのサーバーに送信する。このようにして連絡情報ページの振込機能オプションによって、対応するアカウントに対する振込をトリガすることができ、ユーザが振込すべきアカウントのアカウント名を手動で入力する必要がなく、それによって振込処理効率を向上させることができる。
【００５４】
前記実施形態に係る振込処理装置は、振込処理を行う場合、前記各機能モジュールの区分のみを例として挙げて説明し、実際の応用において、需要に応じて前記機能割り当てを異なる機能モジュールによって完了させ、即ち装置の内部構造を異なる機能モジュールに区分して、上述した全部または一部の機能を完了することができると説明すべきである。また、前記実施形態に係る振込処理装置は、振込処理方法の実施形態と同じ技術的構成に属し、その具体的な実現プロセスが方法の実施形態に詳細に示され、ここで説明を省略する。
【００５５】
実施形態四
本開示の実施形態は、端末の構成模式図を示す。当該端末は、携帯電話などであってよい。
【００５６】
図７を参照すると、端末８００は、処理部品８０２、メモリ８０４、電源部品８０６、マルチメディア部品８０８、オーディオ部品８１０、入力／出力（Ｉ／Ｏ）インタフェース８１２、センサ部品８１４および通信部品８１６の１つ以上を含むことができる。
【００５７】
処理部品８０２は、通常、端末８００の操作全体、例えば表示、電話呼び、データ通信、カメラ操作と記録操作に関連する操作を制御する。処理素子８０２は、１つ以上のプロセッサ８２０を含んで命令を実行し、前記方法の全部または一部のステップを完了することができる。また、処理部品８０２は、１つ以上のモジュールを含むことができ、処理部品８０２と他の部品のインタラクションのために便利を与える。例えば、処理部品８０２は、マルチメディアモジュールを含むことができ、マルチメディア部品８０８と処理部品８０２の間のインタラクションのために便利を与える。
【００５８】
メモリ８０４は、様々なタイプのデータを記憶して端末８００の操作をサポートするように構成される。これらのデータの例は、端末８００に操作されるいかなるアプリケーションプログラムまたは方法に用いられる命令、連絡先データ、電話帳データ、メッセージ、ピクチャ、ビデオなどを含む。メモリ８０４は、例えばスタティックランダムアクセスメモリ（ＳＲＡＭ）、電気的消去可能プログラマブルＲＯＭ（ＥＥＰＲＯＭ）、消去可能プログラマブルＲＯＭ（ＥＰＲＯＭ）、プログラマブルＲＯＭ（ＰＲＯＭ）、読取り専用メモリ（ＲＯＭ）、磁気メモリ、フラッシュメモリ、磁気ディスクまたは光ディスクのようないかなるタイプの揮発性メモリおよび不揮発性記憶装置またはそれらの組み合わせによって実現されることができる。
【００５９】
電源部品８０６は、端末８００の様々な部品に電源を供給する。電源部品８０６は、電源管理システム、１つ以上の電源、および他のオーディオ出力装置８００に電源を生成し、管理して割り当てることに関連する部品を含むことができる。
【００６０】
マルチメディア部品８０８は、前記端末８００とユーザの間で出力インタフェースとして提供される一つのスクリーンを含む。いくつかの実施形態において、スクリーンは、液晶ディスプレイ（ＬＣＤ）とタッチパネル（ＴＰ）を含むことができる。スクリーンがタッチパネルを含むと、スクリーンは、タッチスクリーンとして実現されて、ユーザからの入力信号を受信することができる。タッチパネルは、１つ以上のタッチセンサを含んでタッチ、摺動とタッチパネル上の手振りをセンシングする。前記タッチセンサは、タッチまたは摺動動作の境界をセンシングするだけでなく、前記タッチまたは摺動操作に関連する持続時間と圧力を検出することができる。いくつかの実施形態において、マルチメディア部品８０８は、一つのフロントカメラおよび／またはリアカメラを含む。端末８００が操作モード、例えば撮像モードまたはビデオモードにある場合、フロントカメラおよび／またはリアカメラは、外部のマルチメディアデータを含むことができる。各フロントカメラとリアカメラは、固定された光学レンズシステムであってよいまたは焦点距離と光学ズーム能力を備えることができる。
【００６１】
オーディオ部品８１０は、オーディオ信号を出力および／または入力するように構成される。例えば、オーディオ部品８１０は、１つのマイク（ＭＩＣ）を含み、オーディオ出力装置８００が操作モード、例えば呼びモード、記録モードおよび音声識別モードにある場合、マイクは、外部のオーディオ信号を受信するように構成される。受信されたオーディオ信号は、さらに、メモリ８０４に記憶されるまたは通信部品８１６を介して送信されることができる。
【００６２】
Ｉ／Ｏインタフェース８１２は、処理部品８０２と周辺インターフェースモジュールの間のためにインターフェースを提供し、前記周辺インターフェースモジュールは、キーボード、クリックホイール、ボタンなどであってよい。これらのボタンは、ホームページボタン、音量ボタン、起動ボタンとロックボタンを含むことができるが、これらに限られない。
【００６３】
センサ部品８１４は、１つ以上のセンサを含み、端末８００に各方面の状態評価を提供するように構成される。例えば、センサ部品８１４は、端末８００のオン／オフ状態、部品の相対位置決め、例えば前記部品が端末８００の表示器とキーパッドであることを検出することができ、センサ部品８１４は、端末８００または端末８００の一つの部品の位置変化、ユーザが端末８００と接触するかどうか、端末８００の方位または加速／減速と端末の温度変化を検出することができる。センサ部品８１４は、いかなる物理的接触がない場合に付近の物体の存在を検出するように構成される近接センサを含むことができる。センサ部品８１４は、イメージングアプリケーションに使用される光センサ、例えばＣＭＯＳまたはＣＣＤ画像センサを含むことができる。いくつかの実施形態において、当該センサ部品８１４は、加速度センサ、ジャイロセンサ、磁気センサ、圧力センサまたは温度センサを含むことができる。
【００６４】
通信部品８１６は、端末が他の装置と有線または無線で通信することに便利を与えるように構成される。端末８００は、通信標準に基づく無線ネットワーク、例えばＷｉＦｉ、２Ｇまたは３Ｇ、またはそれらの組み合わせにアクセスすることができる。１つの例示的な実施形態において、通信部品８１６は、放送チャネルを介して外部の放送管理システムからの放送信号または放送関連情報を受信する。１つの例示的な実施形態において、前記通信部品８１６は、近接場通信（ＮＦＣ）モジュールを含み、近距離通信を促進する。例えば、ＮＦＣモジュールがＲＦ識別（ＲＦＩＤ）技術、赤外線データ通信（ＩｒＤＡ）技術、超広帯域（ＵＷＢ）技術、ブルートゥース（ＢＴ）技術と他の技術に基づいて実現されることができる。
【００６５】
例示的な実施形態において、端末８００は、１つ以上の特定用途向け集積回路（ＡＳＩＣ）、デジタル信号プロセッサ（ＤＳＰ）、デジタル信号処理装置（ＤＳＰＤ）、プログラマブルロジックデバイス（ＰＬＤ）、フィールドプログラマブルゲートアレイ（ＦＰＧＡ）、コントローラ、マイクロコントローラ、マイクロプロセッサまたは他の電子素子によって実現されることができ、上記の方法を実行するように構成される。
【００６６】
例示的な実施形態において、命令が含まれる非一時的コンピュータ可読記憶媒体、例えば命令が含まれるメモリ８０４を提供し、前記命令が端末８００のプロセッサ８２０によって実行されて前記方法を完了することができる。例えば、前記非一時的コンピュータ可読記憶媒体は、ＲＯＭ、ランダムアクセスメモリ（ＲＡＭ）、ＣＤ−ＲＯＭ、磁気テープ、フロッピーディスク、光データ記憶デバイスなどであってよい。
【００６７】
非一時的コンピュータ可読記憶媒体において、前記記憶媒体における命令が端末のプロセッサによって実行される場合、端末は、前記振込処理方法を実行することができる。
【００６８】
本開示の実施形態において、第一の連絡先の、前記第一の連絡先の第一のアカウントに対応する振込機能オプションを含んでいる、連絡情報ページを表示し、振込機能オプションのトリガ命令を受信した場合、第一のアカウントのアカウント識別子、ローカルログインアカウントの情報およびユーザより入力された振込情報を取得し、第一のアカウントのアカウント識別子、ローカルログインアカウントの情報および振込情報を含んでいる振込要求を、ローカルログインアカウントから第一のアカウントへ振込情報によって指示された振込処理を行うためのサーバーに送信する。このようにして連絡情報ページの振込機能オプションによって、対応するアカウントに対する振込をトリガすることができ、ユーザが振込すべきアカウントのアカウント名を手動で入力する必要がなく、それによって振込処理効率を向上させることができる。
【００６９】
本分野の当業者は、前記実施形態の全部または一部のステップを実現することがハードウェアにより完了されることができ、プログラムにより関連するハードウェアに命令して完了されることもでき、前記プログラムがコンピュータ読み取り可能な記録媒体に記憶されることができ、前記記憶媒体は、読取り専用メモリ、磁気ディスクまたは光ディスクなどであってよい。
【００７０】
以上は、本発明の最適的な実施例に過ぎなく、本発明を制限せず、本分野の当業者に対して、本発明が各種類の変更と変化がある。本発明の主旨精神と原則以内に、いかなる改修、同等入れ替わり、改良等が、本発明の保護範囲以内に含まれるべきである。
【産業上の利用可能性】
【００７１】
本開示の実施形態において、第一の連絡先の、前記第一の連絡先の第一のアカウントに対応する振込機能オプションを含んでいる、連絡情報ページを表示し、振込機能オプションのトリガ命令を受信した場合、第一のアカウントのアカウント識別子、ローカルログインアカウントの情報およびユーザより入力された振込情報を取得し、第一のアカウントのアカウント識別子、ローカルログインアカウントの情報および振込情報を含んでいる振込要求を、ローカルログインアカウントから第一のアカウントへ振込情報によって指示された振込処理を行うためのサーバーに送信する。このようにして連絡情報ページの振込機能オプションによって、対応するアカウントに対する振込をトリガすることができ、ユーザが振込すべきアカウントのアカウント名を手動で入力する必要がなく、それによって振込処理効率を向上させることができる。
【図１】
2017513161.tif 000003
【図２】
2017513161.tif 000004
【図３】
2017513161.tif 000005
【図４】
2017513161.tif 000006
【図５】
2017513161.tif 000007
【図６】
2017513161.tif 000008
【図７】
2017513161.tif 000009
【国際調査報告】
2017513161.tif 000010
2017513161.tif 000011
2017513161.tif 000012
2017513161.tif 000013